(57)【要約】      （修正有）【課題】特に蒸気ブラシ・セットと金属製底板ベースの分離可能なアイロンを提供する。【解決手段】両用組合アイロンは、蒸気ブラシ・セット、ベース・ユニットおよび温調つまみを含んでいる。温調つまみは、回転できるように蒸気ブラシ・セットケースに設けられる外つまみ、回転できるようにベースユニット・ケースに設けられる内つまみで構成されている。内つまみは、ベース・ユニット・ケースの温調器の等級調節レバーと繋がる。外つまみは、正多辺形あるいは正多角形のある柱面により、内つまみと咬み合って繋がる。【選択図】図１０
0003181485.tif 000002
【実用新案登録請求の範囲】
【請求項１】
温調つまみが、回転できるように蒸気ブラシ・セットケースに設けられる外つまみ、回転できるようにベースユニット・ケースに設けられる内つまみで構成され、前記内つまみが、ベースユニット・ケースの温調器の等級調節レバーと繋がり、前記外つまみが、正多辺形あるいは正多角形のある柱面により、前記内つまみと咬み合って繋がることを特徴とする蒸気ブラシ・セット、ベース・ユニットおよび温調つまみを含む両用組合アイロン。
【請求項２】
前記外つまみと前記内つまみとの噛合に使われる正多辺形あるいは正多角形の柱面が、少し内部に収縮した錐面とし、また前記外つまみと前記内つまみとの間に挿入されるロッドの自由端で正多辺形あるいは正多角形の少し内部に収縮した錐台が設けられていることを特徴とする請求項１に記載の両用組合アイロン。
【請求項３】
前記外つまみと前記内つまみとの間に挿入されるロッドの自由端で少なくとも２つの溝が設けられていることを特徴とする請求項２に記載の両用組合アイロン。
【請求項４】
前記外つまみと前記内つまみとの噛合に使われる正多辺形の柱面が、すくなくとも側平面８個、あるいは前記外つまみと前記内つまみとの噛合に使われる正多角形の柱面が、少なくとも角が９個あることを特徴とする請求項３に記載の両用組合アイロン。
【請求項５】
前記外つまみの上部が、ディスクとし、このディスクの下表面の中央には、少なくとも円周に均等に散在し、下に伸びる噛合爪が３つあり、噛合爪の先端が外に向き、外つまみ上部のディスクが、蒸気ブラシ・セットケースの円管状取付部の上に位置し、前記噛合爪は前記取付部内の管穴に入り、前記噛合爪の先端が、前記取付部トップの内フランジに挟まれていることを特徴とする請求項１〜４のいずれか一項に記載の両用組合アイロン。
【請求項６】
前記内つまみの中部が、円管状の本体とし、この本体の下表面には、少なくとも円周に均等に散在し、下に伸びる噛合爪が３つあり、噛合爪の先端が外に向き、内つまみの本体が、ベースユニット・ケースの上表面の円管状突起に位置し、前記噛合爪が前記突起内の管穴に入り、前記噛合爪の先端が、前記突起トップの内フランジに挟まれていることを特徴とする請求項１〜４のいずれか一項に記載の両用組合アイロン。
【請求項７】
前記外つまみが、透明材料で作られ、前記蒸気ブラシ・セットのケース外表面で前記外つまみの取付のところに前記温調器の目盛、前記内つまみの挿入連結部のトップ面に前記温調器の等級調節レバーの回転角位置を表すマークが設置されていることを特徴とする請求項１〜４のいずれか一項に記載の両用組合アイロン。
【考案の詳細な説明】
【技術分野】
【０００１】
本考案は、アイロン、特に蒸気ブラシ・セットと金属製底板ベースの分離可能なアイロンに関するものである。
【背景技術】
【０００２】
従来のアイロンは、すべて、ケースの底部に電熱板を備える金属製底板である。ケース内に温調器が設けられ、電熱板への電力出力を制御して、金属製底板の加熱状況を調節する。ケースの表面に温調つまみが設けられ、この温調つまみは、直接的に温調器の等級調節レバーと繋がって、温調器の電力出力レベルを調節する。
【０００３】
アイロンの使用方法を広めるために、１つの蒸気ブラシ・セットを１つのベース・ユニットと組み合せ、両用組合式アイロンになる。
【０００４】
蒸気ブラシ・セットのケース内に、電熱の蒸気ボイラーが設けられている。この蒸気ボイラーの蒸気出口は、このケース底面より外面と繋がる。電源コードは、後ろより、このケース内に導入され、蒸気ボイラーを制御するスイッチと繋がる。このスイッチをオンにすると、外部電源は、蒸気ボイラーに給電し、蒸気ボイラー内の水は蒸気になり、ケースの底面から外に噴き出る。蒸気ブラシ・セットのケース表面に把手が設けられているため、蒸気ブラシ・セットは、衣服のハングアップでのアイロンがけのために単独に使用することができる。
【０００５】
ベース・ユニットのケース底部に電熱板が取り付けられ、ケース内に温調器が設けられ、電熱板への電力出力を制御して、金属製底板の加熱状況を調節する。ベース・ユニットのケース表面に把手がないが、蒸気ブラシ・セットの下部を収容・握着するため、ベース・ユニットのケースに予備スペースが設けられている。蒸気ブラシ・セットはベース・ユニットに握着され、把手付きのアイロンになり、アイロンがけに用いられる。
【０００６】
しかし、蒸気ブラシ・セットの温調つまみがどのようにベース・ユニットの温調器の等級調節レバーと分離可能なように連結して、温調器の電力出力レベルを調節するかというのは、デザイナーの困っている問題である。何故かというと、分離した場合、蒸気ブラシ・セットの温調つまみの回し位置状態、ベース・ユニットの温調器の等級調節レバーの回し位置状態とも決まっていないため、蒸気ブラシ・セットがベース・ユニットに握着される上、温調つまみと温調器等級調節レバーが同期に回せるように噛みあう連結を確保しにくい。さらに、温調つまみと温調器の等級調節レバーは、無作為で連結したら、温調つまみの組み合う等級の指示内容が正しく温調器の等級を表すことを確保しにくい。
【考案の概要】
【課題を解決するための手段】
【０００７】
本考案は、両用組合アイロンを提供することを目的とし、両用組合アイロンは、蒸気ブラシ・セットがベース・ユニットに握着される上、温調つまみと温調器等級調節レバーが同期に回せるように噛みあう連結を確保することができる。
【０００８】
また、この両用組合アイロンにおいて、温調つまみと温調器の等級調節レバーは、無作為で連結したら、温調つまみの組み合う等級の指示内容が正しく温調器の等級を表すことができる。
【０００９】
本考案の技術内容：両用組合アイロンは、蒸気ブラシ・セット、ベース・ユニットおよび温調つまみを含んでいる。前記温調つまみは、回転できるように蒸気ブラシ・セットケースに設けられる外つまみ、回転できるようにベースユニット・ケースに設けられる内つまみで構成されている。前記内つまみは、ベース・ユニット・ケースの温調器の等級調節レバーと繋がる。前記外つまみは、正多辺形あるいは正多角形のある柱面により、前記内つまみと咬み合って繋がる。
【００１０】
適切な実施構造として、前記外つまみと前記内つまみとの噛合に使われる正多辺形あるいは正多角形の柱面は、少し内部に収縮した錐面とし、また前記外つまみと前記内つまみとの間に挿入されるロッドの自由端で正多辺形あるいは正多角形の少し内部に収縮した錐台が設けられて、外つまみが内つまみに挿入連結しやすくなり、挿入連結の過程に、外つまみと前記内つまみとの間に挿入されるロッドの自由端で正多辺形あるいは正多角形の少し内部に収縮した錐台により、自動的に調整することができる。
【００１１】
また、前記外つまみと前記内つまみとの間に挿入されるロッドの自由端で少なくとも２つの溝が設けられている。挿入連結の過程に、外つまみが内つまみと合わないと、挿入されるロッドの自由端は、ロッドに少し挙げられ、挿入されるロッドの自由端の弾性回復力は、自動的に正しく噛合位置を調整することが出来る。
【００１２】
特に、前記外つまみと前記内つまみとの噛合に使われる正多辺形の柱面は、すくなくとも側平面８個、あるいは前記外つまみと前記内つまみとの噛合に使われる正多角形の柱面は、少なくとも角が９個ある。そうすれば、外つまみと内つまみとの挿入連結の過程に、自動的に調整することができる。
【００１３】
適切な実施構造として、外つまみが回転できるように蒸気ブラシ・セットケースにもうけられるために、前記外つまみの上部は、ディスクとし、このディスクの下表面の中央には、少なくとも円周に均等に散在し、下に伸びる噛合爪が３つある。噛合爪の先端は外に向く。外つまみ上部のディスクは、蒸気ブラシ・セットケースの円管状取付部の上に位置し、前記噛合爪は前記取付部内の管穴に入り、前記噛合爪の先端は、前記取付部トップの内フランジに挟まれている。円周に均等に散在する噛合爪構造の使用は、外つまみが回転できるようになり、外つまみを取り付ることに役立つ。
【００１４】
適切な実施構造として、内つまみが回転できるようにベースユニット・ケースにもうけられるために、前記内つまみの中部は、円管状の本体とし、この本体の下表面には、少なくとも円周に均等に散在し、下に伸びる噛合爪が３つある。噛合爪の先端は外に向く。内つまみの本体は、ベースユニット・ケースの上表面の円管状突起に位置し、前記噛合爪は前記突起内の管穴に入り、前記噛合爪の先端は、前記突起トップの内フランジに挟まれている。円周に均等に散在する噛合爪構造の使用は、内つまみが回転できるようになり、内つまみを取り付ることに役立つ。
【００１５】
考案の第２の目的を達成するために、前記外つまみは、透明材料で作られ、前記蒸気ブラシ・セットのケース外表面で前記外つまみの取付のところに前記温調器の目盛、前記内つまみの挿入連結部のトップ面に前記温調器の等級調節レバーの回転角位置を表すマークが設置されている。外つまみにより、内つまみ挿入連結部トップ面のマークが良く見える。このマークは、温調器の等級調節レバーの回転角位置と蒸気ブラシ・セットのケース外表面の温調器目盛の対応関係、つまり温調器現在の等級を表す。
【００１６】
本考案の両用組合アイロンは、回転できるように蒸気ブラシ・セットケースにもうけられる外つまみ、回転できるようにベースユニット・ケースにもうけられる内つまみにより、分離可能な挿入連結式温調つまみが形成されている。内つまみとベース・ユニットのケースの温調器等級調節レバーとつながって、温調器の調整が可能になる。外つまみと内つまみの間に正多辺形あるいは正多角形のある柱面噛合により、蒸気ブラシ・セットがベース・ユニットに握着される上、温調つまみと温調器等級調節レバーが同期に回せるように噛みあう連結を確保することができる。本考案の目的を達成した。従って、本考案両用組合アイロンの考案は、やっと実現し、アイロンの使用方法を広めて、消費者にデュアルユースの利点をもたらす。
【図面の簡単な説明】
【００１７】
【図１】本考案に係る両用組合アイロンの一つ目の実施例の展開構造を示す説明図である。
【図２】図１実施例の温調つまみの展開構造を示す説明図である。
【図３】図１実施例の外つまみ装配到蒸気ブラシ・セット上的局部剖視構造を示す説明図である。
【図４】図１実施例の内つまみの下面から見た構造を示す説明図である。
【図５】図１実施例の内つまみの上面から見た構造を示す説明図である。
【図６】図１実施例のベース・ユニットに取り付けられている内つまみの上面から見た構造を示す説明図である。
【図７】図１実施例のベース・ユニットに取り付けられている内つまみの下面から見た構造を示す説明図である。
【図８】図７のＢ−Ｂでの横断面構造を示す説明図である。
【図９】図１実施例の組立後の構造を示す説明図である。
【図１０】図１実施例の上温調つまみ部分の横断面構造を示す説明図である。
【図１１】本考案に係る両用組合アイロンの二つ目の実施例の展開構造を示す説明図である。
【図１２】図１１実施例の温調つまみの展開構造を示す説明図である。
【図１３】図１１実施例の外つまみの上面から見た構造を示す説明図である。
【図１４】図１１実施例の内つまみの下面から見た構造を示す説明図である。
【図１５】図１１実施例の内つまみの上面から見た構造を示す説明図である。
【図１６】図１１実施例の内つまみの上面から見た構造を示す説明図である。
【図１７】図１１実施例の組立後の温調つまみ部分の横断面構造を示す説明図である。
【考案を実施するための形態】
【実施例１】
【００１８】
本考案に係る両用組合アイロンの１つの実施例の構造については、図１を参照されたい。両用組合アイロンは、１つの独立的な蒸気ブラシ・セット３０、１つの独立的なベース・ユニット４０がある。
【００１９】
蒸気ブラシ・セット３０のケース３１に把手３２が設けられて、蒸気ブラシ・セット３０が単独に衣服のハングアップでのアイロンがけに用いられることが可能になる。蒸気ブラシ・セット３０のケース３１内に電熱式蒸気ボイラーが設けられて、この蒸気ボイラーの蒸気出口は、このケース３１底面の蒸気排出部３３より外面と繋がる。電源コードは、後ろより、このケース３１内に導入され、蒸気ボイラーを制御するスイッチと繋がる。このスイッチをオンにすると、外部電源は、蒸気ボイラーに給電し、蒸気ボイラー内の水は蒸気になり、ケース３１の底面の蒸気出口３３から外に噴き出る。蒸気ブラシ・セット３０ケース３１の把手３２の下で、１つの円管状の取付部３４が設けられ、外つまみ１０の取付に用いられる。蒸気ブラシ・セット３０のケース３１前端に１つの下に伸びる噛合爪３６がある。蒸気ブラシ・セット３０のケース３１中部の両サイドにそれぞれ１つの下に伸びる噛合爪３７がある。蒸気ブラシ・セット３０のケース３１後ろに１つの噛合溝があり、ベース・ユニット４０の回り先端４９１を引き受けるために用いられる。蒸気ブラシ・セット３０のケース３１下表面の後ろにソケットが設けられ、ベース・ユニット４０への給電に用いられる。
【００２０】
図１のもとに、図７、図８を参照されたい。ベース・ユニット４０のケース４１表面に把手がないが、蒸気ブラシ・セット３０の下部を収容・握着するため、ベース・ユニット４０のケース４１に予備スペース４８が設けられている。蒸気ブラシ・セットはベース・ユニットに握着され、把手付きのアイロンになり、アイロンがけに用いられる。予備スペース４８の中央に１つの上に伸びる円管状突起４２が設けられている。この突起４２のトップ面に上向きの突起４３がある。ベース・ユニット４０のケース４１底部に電熱板４４が配置されている。ケース４１の内に温調器が設けられ、電熱板４４への電力出力を制御して、金属製底板の加熱状況を調節する。温調器の等級調節レバー４６は突起４２内に位置し、等級調節レバー４６の上端に１つの温調取付具４５が配置されている。この温調取付具４５も突起４２内に位置し、内つまみ６０との回転連結に用いられる。予備スペース４８の後ろにプラグ４７が設けられ、プラグ４７は、蒸気ブラシ・セット３０のケース３１のソケットと噛み合って、蒸気ブラシ・セット３０からの電力を受け、温調器に給電する。予備スペース４８の後ろに回転先端４９１が設けられ、回転先端４９１は、ベース・ユニット４０のケース４１の後端のロックつまみ４９に制御される。
【００２１】
蒸気ブラシ・セット３０をベース・ユニット４０ケース４１の予備スペース４８に置くと、蒸気ブラシ・セット３０のケース３１前端の噛合爪３６と中部両サイドの噛合爪３７は、それぞれ予備スペース４８前端と中部両サイドの内壁に突き当たる。蒸気ブラシ・セット３０のケース３１下表面のソケットは、予備スペース４８後ろのプラグ４７と挿入により連結される。ロックつまみ４９を回して、回転先端４９１に蒸気ブラシ・セット３０ケース３１後ろの噛合溝に入らせて、蒸気ブラシ・セット３０は、ベース・ユニット４０に握着され、把手付きのアイロンを構成し、アイロンがけに用いられる。
【００２２】
本実施例の温調つまみ実施例の展開構造を、図２に示す。この温調つまみは、外つまみ１０、内つまみ２０で構成されている。
【００２３】
図２のもとに、図３を参照されたい。外つまみ１０は、透明材料で作られている。外つまみ１０の上部は、開口部下向きのディスク１１で、ディスク１１の上表面中央に上に伸びる円形の突起、このディスク１１の下表面中央の下に伸びる円管状の軸スリーブ１２がそれぞれ１つある。軸スリーブ１２の内壁１３は、少し内部に収縮した正十二辺形内柱面まで加工できた。軸スリーブ１２の下端から、均等に分布する上向きの溝１４が３つがある。溝１４のもとから下に伸びる、先端が外に向く噛合爪１５が１つある。噛合爪１５の噛合先端の根部とディスク１１の下縁との間の距離は、蒸気ブラシ・セット３０の取付部３４のトップ内のフランジの肉厚より少し厚い。噛合爪１５の長さは、軸スリーブ１２より短くして、軸スリーブ１２の内壁１３が内つまみ２０の対応するロッド状挿入連結部２２を収容する長さを確保する。
【００２４】
外つまみ１０は、蒸気ブラシ・セット３０のケース３１の取付部３４に挿入固定されている。外つまみ１０上部のディスク１１は、取付部３４の上に位置し、軸スリーブ１２と噛合爪１５は、取付部３４内の管穴３５に入り、噛合爪１５の先端は、取付部３４トップの内フランジに挟まれている。取付部３４トップの内フランジ上表面に温調器目盛が印刷されて有り、外つまみ１０のディスク１１より、この目盛が良く見える。
【００２５】
図２のもとに、図４、図５を参照されたい。内つまみ２０の中央は円管状の本体２１である。本体２１の上表面には上に伸び、少し内部に収縮した正十二辺形内柱面のロッド状挿入連結部２２がある。挿入連結部２２の寸法は、外つまみ１０の軸スリーブ１２内壁１３と挿入噛合とする。本体２１の内部下表面の中央の下に伸びる長いストリップ状のレバー２３がある。レバー２３の下端に方向表示の溝がある。本体２１の外部下端面に均等に下に伸びる噛合爪２４（その先端が外に向く）が３つある。噛合爪２４の下端は、レバー２３の下端より高い。挿入連結部２２の上端に内部に収縮した正十二辺形の錐台２２１が、錐台２２１の上表面に突起する矢印２５が設けられている。矢印２５の上表面に人目を引く色て塗装されて、はっきりレバー２３の溝の方向を表す。本体２１の外周面下部に矢印２５に対応して突起するリミット２６が配置されている。
【００２６】
図６、図７、図８、図１０において、内つまみ２０は、ベース・ユニット４０ケース４１の円管状突起４２に挿入固定されている。内つまみ２０の本体２１は、突起４２の上に位置し、レバー２３と３つの噛合爪２４は、突起４２内の管穴に入り、噛合爪２４の先端は、突起４２トップの内フランジに挟まれている。レバー２３は、温調取付具４５上部の溝に挿入されている。レバー２３下端の溝は、温調取付具４５用溝の凸起部に挟まれて、レバー２３の方向を温調器の等級調節レバー４６の方向と一致に成らせて、内つまみ２０の矢印２５が唯一的に温調器の等級を示すことができる。内つまみ２０のリミット２６は、突起４２のトップ面のブロック４３と噛み合って、内つまみ２０の回転幅、即ち温調器等級調節レバー４６が定まる等級範囲のみに回転するように制限している。
【００２７】
図９、図１０において、蒸気ブラシ・セット３０がベース・ユニット４０に握着されて、把手付アイロンを構成する時、内つまみ２０の挿入連結部２２は、外つまみ１０の軸スリーブ１２内壁１３に挿入連結される。外つまみ１０的ディスク１１を回すと、内つまみ２０、温調取付具４５、温調器の等級調節レバー４６も同期的に回転する。外つまみ１０のディスク１１により、内つまみ２０の矢印２５、矢印２５の蒸気ブラシ・セット３０ケース３１の目盛との対応関係の示す温調器現在の等級が良く見える。
【実施例２】
【００２８】
本考案に係る両用組合アイロンの二つ目の第実施例の展開構造は、図１１の示すとおりである。この両用組合アイロンは、前記実施例のように、１つの独立的な蒸気ブラシ・セット３０、１つの独立的なベース・ユニット４０がある。
【００２９】
蒸気ブラシ・セット３０のケース３１に把手３２が設けられて、蒸気ブラシ・セット３０が単独に衣服のハングアップでのアイロンがけに用いられることが可能になる。蒸気ブラシ・セット３０のケース３１内に電熱式蒸気ボイラーが設けられて、この蒸気ボイラーの蒸気出口は、このケース３１底面の蒸気排出部３３より外面と繋がる。電源コードは、後ろより、このケース３１内に導入され、蒸気ボイラーを制御するスイッチと繋がる。このスイッチをオンにすると、外部電源は、蒸気ボイラーに給電し、蒸気ボイラー内の水は蒸気になり、ケース３１の底面の蒸気出口３３から外に噴き出る。蒸気ブラシ・セット３０ケース３１の把手３２の下で、１つの円管状の取付部３４が設けられ、外つまみ５０の取付に用いられる。蒸気ブラシ・セット３０のケース３１前端に１つの下に伸びる噛合爪３６がある。蒸気ブラシ・セット３０のケース３１中部の両サイドにそれぞれ１つの下に伸びる噛合爪３７がある。蒸気ブラシ・セット３０のケース３１後ろに１つの噛合溝があり、ベース・ユニット４０の回り先端４９１を引き受けるために用いられる。蒸気ブラシ・セット３０のケース３１下表面の後ろにソケットが設けられ、ベース・ユニット４０への給電に用いられる。
【００３０】
ベース・ユニット４０のケース４１表面に把手がないが、蒸気ブラシ・セット３０の下部を収容・握着するため、ベース・ユニット４０のケース４１に予備スペース４８が設けられている。蒸気ブラシ・セットはベース・ユニットに握着され、把手付きのアイロンになり、アイロンがけに用いられる。予備スペース４８の中央に１つの上に伸びる円管状突起４２が設けられている。この突起４２のトップ面に上向きの突起４３がある。ベース・ユニット４０のケース４１底部に電熱板４４が配置されている。ケース４１の内に温調器が設けられ、電熱板への電力出力を制御して、金属製底板の加熱状況を調節する。温調器の等級調節レバー４６は突起４２内に位置し、等級調節レバー４６の上端に１つの温調取付具４５が配置されている。この温調取付具４５も突起４２内に位置し、内つまみ２０との回転連結に用いられる。予備スペース４８の後ろにプラグ４７が設けられ、プラグ４７は、蒸気ブラシ・セット３０のケース３１のソケットと噛み合って、蒸気ブラシ・セット３０からの電力を受け、温調器に給電する。予備スペース４８の後ろに回転先端４９１が設けられ、回転先端４９１は、ベース・ユニット４０のケース４１の後端のロックつまみ４９に制御される。
【００３１】
蒸気ブラシ・セット３０をベース・ユニット４０ケース４１の予備スペース４８に置くと、蒸気ブラシ・セット３０のケース３１前端の噛合爪３６と中部両サイドの噛合爪３７は、それぞれ予備スペース４８前端と中部両サイドの内壁に突き当たる。蒸気ブラシ・セット３０のケース３１下表面のソケットは、予備スペース４８後ろのプラグ４７と挿入により連結される。ロックつまみ４９を回して、回転先端４９１に蒸気ブラシ・セット３０ケース３１後ろの噛合溝に入らせて、蒸気ブラシ・セット３０は、ベース・ユニット４０に握着され、把手付きのアイロンを構成し、アイロンがけに用いられる。
【００３２】
本実施例の温調つまみ実施例の展開構造を、図１２に示す。この温調つまみは、外つまみ５０、内つまみ６０で構成されている。
【００３３】
図１２のもとに、図１３、図１４、図１７を参照してください。外つまみ５０の上部は、開口部下向きのディスク５１で、ディスク５１の上表面中央に上に伸びる円形の突起、このディスク５１の下表面中央の下に伸びる円形の短軸５２がそれぞれ１つある。短軸５２の下部は、正十二角形の外柱面５３がある。外柱面５３は、少し内部に収縮した正十二角形の錐面である。短軸５２下部の自由端に外柱面５３と対応する正十二角形の、少し内部に収縮した錐台５４が設けられている。ディスク５１の下表面は、短軸５２の外側に位置し、下に伸び、円周に均等に分布する、先端が外に向く噛合爪５５が３つある。噛合爪５５の噛合先端の根部とディスク５１の下縁との間の距離は、蒸気ブラシ・セット３０の取付部３４のトップ内のフランジの肉厚より少し厚い。噛合爪１５の長さは、短軸５２より短くして、短軸５２の外柱面５３が内つまみ２０の対応する挿入穴６２に挿入する長さを確保する。
【００３４】
外つまみ５０は、蒸気ブラシ・セット３０のケース３１の取付部３４に挿入固定されている。外つまみ５０上部のディスク５１、短軸５２および３つの噛合爪５５は、取付部３４内の管穴３５に入り、噛合爪５５の先端は、取付部３４トップの内フランジに挟まれている。取付部３４トップの内フランジ上表面に温調器目盛が印刷されて有り、外つまみ５０のディスク５１より、この目盛が良く見える。
【００３５】
図１２のもとに、図１５、図１６、図１７を参照してください。内つまみ６０の中央と上部は円柱状の本体６１である。本体６１の上表面には上に伸び、少し内部に収縮した正十二角形内柱面の挿入穴６２がある。挿入穴６２の寸法は、外つまみ５０の短軸５２外柱面５３と挿入噛合とする。本体６１の内部下表面の中央の下に伸びる長いストリップ状のレバー６３がある。レバー６３の下端に方向表示の溝がある。本体６１の外部下端面に均等に下に伸びる噛合爪６４（その先端が外に向く）が３つある。噛合爪６４の下端は、レバー６３の下端より高い。本体６１の表面に径方向の矢印６５（１つ）、円周に均等に分布する溝６７（３つ）がある。矢印６５の上表面に人目を引く色で塗装されて、はっきりレバー６３の溝の方向を表す。本体６１の外周面下部に矢印６５に対応して突起するリミット６６が配置されている。
【００３６】
内つまみ６０は、ベース・ユニット４０ケース４１の円管状突起４２に挿入固定されている。内つまみ６０の本体６１は、突起４２の上に位置し、レバー６３と３つの噛合爪６４は、突起４２内の管穴に入り、噛合爪６４の先端は、突起４２トップの内フランジに挟まれている。レバー６３は、温調取付具４５上部の溝に挿入されている。レバー６３下端の溝は、温調取付具４５用溝の凸起部に挟まれて、レバー６３の方向を温調器の等級調節レバー４６の方向と一致に成らせて、内つまみ６０の矢印６５が唯一的に温調器の等級を示すことができる。内つまみ６０のリミット６６は、突起４２のトップ面のブロック４３と噛み合って、内つまみ６０の回転幅、即ち温調器等級調節レバー４６が定まる等級範囲のみに回転するように制限している。
【００３７】
蒸気ブラシ・セット３０がベース・ユニット４０に握着されて、把手付アイロンを構成する時、内つまみ５０の挿入連結部２２は、外つまみ１０の短軸５２正十二角形外柱面５３は、内つまみ６０の挿入穴６２に挿入連結される。外つまみ５０的ディスク５１を回すと、内つまみ６０、温調取付具４５、温調器の等級調節レバー４６も同期的に回転する。外つまみ６０のディスク６１により、内つまみ６０の矢印６５、矢印６５の蒸気ブラシ・セット３０ケース３１の目盛との対応関係の示す温調器現在の等級が良く見える。
【００３８】
以上は、本考案の適切な実施例で、本考案の実施範囲ではない。すなわち、本考案の特許請求の範囲、明細書内容により、変更および修正を行っても、この特許のカバーする範囲である。
【産業上の利用可能性】
【００３９】
本考案に係る両用組合アイロンは、蒸気ブラシ・セットとアイロンベースを分離するか組み合せることができるため、蒸気ブラシ・セットは、単独に衣服のハングアップでのアイロンがけに用いられるか、他の需要に蒸気を提供することができる。また、蒸気ブラシ・セットはベースと組み合わせると、アイロンになる。それにより、アイロンの使用方法を広げる。
【図１】
0003181485.tif 000003
【図２】
0003181485.tif 000004
【図３】
0003181485.tif 000005
【図４】
0003181485.tif 000006
【図５】
0003181485.tif 000007
【図６】
0003181485.tif 000008
【図７】
0003181485.tif 000009
【図８】
0003181485.tif 000010
【図９】
0003181485.tif 000011
【図１０】
0003181485.tif 000012
【図１１】
0003181485.tif 000013
【図１２】
0003181485.tif 000014
【図１３】
0003181485.tif 000015
【図１４】
0003181485.tif 000016
【図１５】
0003181485.tif 000017
【図１６】
0003181485.tif 000018
【図１７】
0003181485.tif 000019